(57)【要約】【課題】  複数に分割された鍵盤ケースを円滑に且つ安全に折り畳んだり展開したりできる鍵盤装置を提供する。【解決手段】  第１、第２鍵盤部３、４が設けられた第１、第２鍵盤ケース１、２と、第１、第２鍵盤部３、４の後方に位置する箇所で第１、第２鍵盤ケース１、２の端部６、７同士の各上面を回動可能に連結する連結ヒンジ部５と、第１、第２鍵盤ケース１、２の端部６、７同士の各前面を回動可能に連結し且つその回動連結部材２８が連結ヒンジ部５と対応する位置に起立可能に折り畳まれる補助ヒンジ部９とを備えた。従って、補助ヒンジ部９の回動連結部材２８を起立させて連結ヒンジ部５に対応させると、連結ヒンジ部５と補助ヒンジ部８とによって第１、第２鍵盤ケース１、２を安定した状態で回動させることができ、また第１、第２鍵盤ケース１、２を連続する状態に展開して演奏するときに、補助ヒンジ部９が邪魔にならない位置に折り畳むことができる。【選択図】        図１
2008116605.tif 000002
【特許請求の範囲】
【請求項１】
複数に分割された鍵盤部がそれぞれ設けられた複数の鍵盤ケースと、
前記複数の鍵盤部の後方に位置する箇所における前記複数の鍵盤ケースの互いに隣接する端部同士の各上面に設けられて前記複数の鍵盤ケースを回動可能に連結する連結ヒンジ部と、
前記複数の鍵盤部の手前側に位置する箇所における前記複数の鍵盤ケースの互いに隣接する端部同士の各前面に跨って設けられて前記複数の鍵盤ケースを回動可能に連結すると共にその回動中心部分が前記連結ヒンジ部と対応する位置に起立可能に折り畳まれる補助ヒンジ部と
を備えたことを特徴とする鍵盤装置。
【請求項２】
前記補助ヒンジ部は、前記複数の鍵盤ケースを連続する状態に展開して開いたときに、前記複数の鍵盤ケースの互いに隣接する一方側の前面に設けられた第１固定部材と、前記複数の鍵盤ケースの互いに隣接する他方側の前面に設けられた第２固定部材と、前記第１固定部材に上下方向に回動可能に取り付けられて前記複数の鍵盤ケースの互いに隣接する端部同士付近に延出された第１アーム部材と、前記第２固定部材に上下方向に回動可能に取り付けられて前記複数の鍵盤ケースの互いに隣接する端部同士付近に延出された第２アーム部材と、前記複数の鍵盤ケースの前記端部同士付近に延出された前記第１、第２アーム部材の各先端部を回動可能に連結する回動連結部とを備えたことを特徴とする請求項１に記載の鍵盤装置。
【請求項３】
前記補助ヒンジ部の前記回動連結部は、前記複数の鍵盤ケースを連続する状態に展開して開いたときに、前記第１、第２アーム部材を前記第１、第２固定部材に対し上方に回動させて起立させることにより、前記連結ヒンジ部の回転中心と前記回動連結部の回転中心とが同一軸上に配置されることを特徴とする請求項２に記載の鍵盤装置。
【請求項４】
前記複数の鍵盤ケースが互いに重なり合って閉じたときに、前記第１、第２アーム部材の回動位置を規制する第１ストッパ部と、前記複数の鍵盤ケースが連続する状態に展開して開いたときに、前記第１、第２アーム部材の回動位置を規制する第２ストッパ部とを備えていることを特徴とする請求項２または３に記載の鍵盤装置。
【請求項５】
前記第１、第２アーム部材は、前記複数の鍵盤ケースを連続する状態に展開して開き、且つ前記第１、第２アーム部材を前記第１、第２固定部材に対し起立させた状態のときに、それぞれ前記第１、第２固定部材の上部から互いに接近する方向にほぼ水平に延び、この延びた各先端部が前記複数の鍵盤ケースの上方に向けて斜めに延びて互いに重なる形状に形成されていることを特徴とする請求項２〜４のいずれかに記載の鍵盤装置。
【請求項６】
前記複数の鍵盤ケースが連続する状態に展開して開いたときに、前記複数の鍵盤ケースの前記端部同士における各下面に跨って配置され、前記連結ヒンジ部と前記補助ヒンジ部とにより前記複数の鍵盤ケースが相対的に回動して互いに重なり合って閉じるときに、前記複数の鍵盤ケースにおける前記端部同士の各対向面を塞ぐカバー部材を備えていることを特徴とする請求項１〜５のいずれかに記載の鍵盤装置。
【発明の詳細な説明】
【技術分野】
【０００１】
この発明は、電子ピアノなどの折り畳み式の鍵盤装置に関する。
【背景技術】
【０００２】
従来、電子ピアノなどの鍵盤装置においては、多数の鍵を配列させる必要があるため、鍵盤ケースが鍵の配列方向に長い箱型形状に形成されている。このような鍵盤装置は、持ち運びに不便であるため、特許文献１に記載されているように、鍵盤ケースを鍵の配列方向に対して２つに分割し、この分割された鍵盤ケースにそれぞれ鍵盤部を分割して設けると共に、この分割された鍵盤ケースの互いに隣接する端部同士を一対の平板状の連結金具で折り畳み可能に連結した折り畳み式のものが知られている。
【特許文献１】実開昭６０−１３５７９７号
【０００３】
すなわち、この従来の鍵盤装置は、２つに分割された鍵盤ケースの互いに隣接する端部同士を一対の平板状の連結金具で折り畳み可能に連結する場合、一方の連結金具を分割された鍵盤ケースの端部同士における各前面に跨って架け渡し、この状態で連結金具の両端部を分割された鍵盤ケースの各前面にそれぞれ回動可能に取り付け、また他方の連結金具を分割された鍵盤ケースの端部同士における各後面に跨って架け渡し、この状態で連結金具の両端部を分割された鍵盤ケースの各後面にそれぞれ回動可能に取り付けた構成になっている。
【発明の開示】
【発明が解決しようとする課題】
【０００４】
しかしながら、このような従来の鍵盤装置では、一方の連結金具の両端部を分割された鍵盤ケースの各前面にそれぞれ回動可能に取り付け、また他方の連結金具の両端部を分割された鍵盤ケースの各後面にそれぞれ回動可能に取り付けた構成であるから、分割された鍵盤ケースを折り畳んで重ね合わせる際、または分割された鍵盤ケースを連続する状態に展開して開く際に、一対の連結金具が分割された鍵盤ケースの回動動作に連動せず、一対の連結金具がそれぞれ勝手に回動するため、分割された鍵盤ケースの回動動作が不安定になり、円滑に且つ安全に分割された鍵盤ケースを折り畳んだり、展開したりすることができないという問題がある。
【０００５】
この発明が解決しようとする課題は、複数に分割された鍵盤ケースを円滑に且つ安全に折り畳んだり、展開したりすることができる鍵盤装置を提供することである。
【課題を解決するための手段】
【０００６】
この発明は、上記課題を解決するために、次のような構成要素を備えている。
請求項１に記載の発明は、複数に分割された鍵盤部がそれぞれ設けられた複数の鍵盤ケースと、
前記複数の鍵盤部の後方に位置する箇所における前記複数の鍵盤ケースの互いに隣接する端部同士の各上面に設けられて前記複数の鍵盤ケースを回動可能に連結する連結ヒンジ部と、
前記複数の鍵盤部の手前側に位置する箇所における前記複数の鍵盤ケースの互いに隣接する端部同士の各前面に跨って設けられて前記複数の鍵盤ケースを回動可能に連結すると共にその回動中心部分が前記連結ヒンジ部と対応する位置に起立可能に折り畳まれる補助ヒンジ部と
を備えたことを特徴とする鍵盤装置である。
【０００７】
請求項２に記載の発明は、前記補助ヒンジ部が、前記複数の鍵盤ケースを連続する状態に展開して開いたときに、前記複数の鍵盤ケースの互いに隣接する一方側の前面に設けられた第１固定部材と、前記複数の鍵盤ケースの互いに隣接する他方側の前面に設けられた第２固定部材と、前記第１固定部材に上下方向に回動可能に取り付けられて前記複数の鍵盤ケースの互いに隣接する端部同士付近に延出された第１アーム部材と、前記第２固定部材に上下方向に回動可能に取り付けられて前記複数の鍵盤ケースの互いに隣接する端部同士付近に延出された第２アーム部材と、前記複数の鍵盤ケースの前記端部同士付近に延出された前記第１、第２アーム部材の各先端部を回動可能に連結する回動連結部とを備えたことを特徴とする請求項１に記載の鍵盤装置である。
【０００８】
請求項３に記載の発明は、前記補助ヒンジ部の前記回動連結部が、前記複数の鍵盤ケースを連続する状態に展開して開いたときに、前記第１、第２アーム部材を前記第１、第２固定部材に対し上方に回動させて起立させることにより、前記連結ヒンジ部の回転中心と前記回動連結部の回転中心とが同一軸上に配置されることを特徴とする請求項２に記載の鍵盤装置である。
【０００９】
請求項４に記載の発明は、前記複数の鍵盤ケースが互いに重なり合って閉じたときに、前記第１、第２アーム部材の回動位置を規制する第１ストッパ部と、前記複数の鍵盤ケースが連続する状態に展開して開いたときに、前記第１、第２アーム部材の回動位置を規制する第２ストッパ部とを備えていることを特徴とする請求項２または３に記載の鍵盤装置である。
【００１０】
請求項５に記載の発明は、前記第１、第２アーム部材が、前記複数の鍵盤ケースを連続する状態に展開して開き、且つ前記第１、第２アーム部材を前記第１、第２固定部材に対し起立させた状態のときに、それぞれ前記第１、第２固定部材の上部から互いに接近する方向にほぼ水平に延び、この延びた各先端部が前記複数の鍵盤ケースの上方に向けて斜めに延びて互いに重なる形状に形成されていることを特徴とする請求項２〜４のいずれかに記載の鍵盤装置である。
【００１１】
請求項６に記載の発明は、前記複数の鍵盤ケースが連続する状態に展開して開いたときに、前記複数の鍵盤ケースの前記端部同士における各下面に跨って配置され、前記連結ヒンジ部と前記補助ヒンジ部とにより前記複数の鍵盤ケースが相対的に回動して互いに重なり合って閉じるときに、前記複数の鍵盤ケースにおける前記端部同士の各対向面を塞ぐカバー部材を備えていることを特徴とする請求項１〜５のいずれかに記載の鍵盤装置である。
【発明の効果】
【００１２】
この発明によれば、複数に分割された鍵盤ケースを折り畳んで重ね合わせるとき、または複数に分割された鍵盤ケースを連続する状態に展開して開くときに、補助ヒンジ部の回動中心部分を起立させて連結ヒンジ部に対応させることにより、連結ヒンジ部と補助ヒンジ部とによって、分割された鍵盤ケースを相対的に回動させることができる。このため、連結ヒンジ部と補助ヒンジ部とによって、分割された鍵盤ケースを確実に保持して安定した状態で回動させることができるので、複数に分割された鍵盤ケースを円滑に且つ安全に折り畳んだり、展開したりすることができる。
【００１３】
また、連結ヒンジ部と補助ヒンジ部とによって、複数に分割された鍵盤ケースを回動させて連続する状態に展開したときに、補助ヒンジ部の回動中心部分が鍵盤ケースの手前側における上方に突出していても、この上方に突出した補助ヒンジ部の回動中心部分を下方に向けて折り畳むことにより、補助ヒンジ部の回動中心部分を複数の鍵盤部の下側に配置することができる。このため、複数の鍵盤部を操作して演奏するときに、補助ヒンジ部が邪魔にならず、良好に複数の鍵盤部を操作して演奏することができ、これにより使い勝手の良いものを得ることができる。
【発明を実施するための最良の形態】
【００１４】
以下、図１〜図２４を参照して、この発明を適用した鍵盤装置の一実施形態について説明する。
図１はこの発明の鍵盤装置を開いて使用する状態を示した平面図、図２はその正面図、図３はその底面図、図４は図１の鍵盤装置を折り畳んで重ね合わせた状態を示した拡大正面図である。
【００１５】
この鍵盤装置は、図１〜図４に示すように、左右２つに分割された第１、第２鍵盤ケース１、２と、この第１、第２鍵盤ケース１、２にそれぞれ設けられた第１、第２鍵盤部３、４と、第１、第２鍵盤ケース１、２を折り畳み可能に連結する連結ヒンジ部５と、第１、第２鍵盤ケース１、２が連続する状態に展開して開いたときに、分割された第１、第２鍵盤ケース１、２の互いに隣接する端部６、７同士に跨って取り付けられたカバー部材８と、第１、第２鍵盤ケース１、２の互いに隣接する端部６、７付近に位置する各前面（図１では手前側面）に跨って取り付けられた補助ヒンジ部９とを備えている。
【００１６】
第１鍵盤ケース１は、図１および図２に示すように、全体が横長の箱型形状に形成されており、この第１鍵盤ケース１には、第１鍵盤部３が配置される鍵盤収納部１０が、後部側および左端部側を除いて、上面側、手前側、右端部６側に開放されて設けられている。この第１鍵盤ケース１の第１鍵盤部３は、多数の鍵３ａが鍵盤収納部１０に対応して配列されている。この第１鍵盤部３の右端部に位置する鍵３ａは、第１鍵盤ケース１の開放された右端部６に位置し、この右端部６に位置する鍵３ａの右側面が外部に露出する状態で配置されている。
【００１７】
また、第２鍵盤ケース２も、図１および図２に示すように、全体が横長の箱型形状に形成されており、この第２鍵盤ケース２には、第２鍵盤部４が配置される鍵盤収納部１１が、後部側および右端部側を除いて、上面側、手前側、左端部７側に開放されて設けられている。この第２鍵盤ケース２の第２鍵盤部４は、多数の鍵４ａが鍵盤収納部１１に対応して配列されている。この第２鍵盤部４の左端部に位置する鍵４ａは、第２鍵盤ケース２の開放された左端部７に位置し、この左端部７に位置する鍵４ａの左側面が外部に露出する状態で配置されている。
【００１８】
これにより、第１、第２鍵盤部３、４は、図１および図２に示すように、第１、第２鍵盤ケース１、２が連続する状態に展開して開いたときに、第１鍵盤部３の右端部に位置する鍵３ａと第２鍵盤部４の左端部に位置する鍵４ａとが接近することにより、第１、第２鍵盤部３、４の全ての鍵３ａ、４ａが同じ間隔で第１、第２鍵盤ケース１、２に沿って連続して配列されるように構成されている。この場合、第１鍵盤ケース１の上面における左側には、図１に示すように、第１スピーカ部１ａが設けられており、第２鍵盤ケース２の上面における右側にも第２スピーカ部２ａが設けられている。
【００１９】
また、第１、第２鍵盤ケース１、２を回動可能に連結する連結ヒンジ部５は、図１および図２に示すように、第１、第２鍵盤部３、４の後方に位置する箇所における第１、第２鍵盤ケース１、２の互いに隣接する端部６、７同士の各上面に跨って設けられている。すなわち、この連結ヒンジ部５は、第１鍵盤ケース１の右端部６における上面の前後部に固定されて第１鍵盤ケース１の上面から第２鍵盤ケース２側に向けて突出する円板状の一対の端部ヒンジ１２と、第２鍵盤ケース２の左端部７における上面の中間部に固定されて第２鍵盤ケース２の上面から第１鍵盤ケース１側に向けて突出する丸棒状の中間ヒンジ１３と、第１鍵盤ケース１の一対の端部ヒンジ１２間に第２鍵盤ケース２の中間ヒンジ１３を配置した状態で一対の端部ヒンジ１２と中間ヒンジ１３とに連続して挿入することにより、その両者を回転可能に連結する回転連結軸１４とを備えている。
【００２０】
これにより、連結ヒンジ部５は、回転連結軸１４を中心に、一対の端部ヒンジ１２と中間ヒンジ１３とが相対的に回転することにより、第１、第２鍵盤ケース１、２が相対的に回動し、図１および図２に示すように、第１、第２鍵盤ケース１、２が連続する状態に展開して開くと共に、図４および図５に示すように、第１、第２ケース１、２が互いに重なり合って閉じるように構成されている。
【００２１】
また、第１、第２鍵盤ケース１、２の互いに隣接する端部６、７同士に跨って取り付けられたカバー部材８は、図１〜図６に示すように、第１、第２鍵盤ケース１、２が連続する状態に展開して開いたときに、第１、第２鍵盤ケース１、２の端部６、７同士における各下面および各前後面に跨って配置され、連結ヒンジ部５と補助ヒンジ部９とを中心に第１、第２鍵盤ケース１、２が相対的に回動して互いに重なり合って閉じるときに、第１、第２鍵盤ケース１、２における端部６、７同士の各対向面を覆って塞ぐように構成されている。
【００２２】
すなわち、このカバー部材８は、図１〜図６に示すように、帯板状のカバー部１５と、このカバー部１５の両端にそれぞれ設けられた一対の連結板１６と、第１、第２鍵盤ケース１、２の回動動作に連動してカバー部１５および一対の連結板１６を回転移動させる連動機構１７とを備えている。この場合、カバー部１５は、第１、第２鍵盤ケース１、２が連続する状態に展開して開いたときに、図３に示すように、第１、第２鍵盤ケース１、２の端部６、７同士における各下面に跨って配置され、第１、第２鍵盤ケース１、２が重なり合って閉じたときに、図４および図５に示すように、第１、第２鍵盤ケース１、２における端部６、７同士の各対向面を覆って塞ぐものである。
【００２３】
また、カバー部材８における一対の連結板１６のうち、一方の連結板１６は、第１、第２鍵盤ケース１、２が連続する状態に展開して開いたときに、図２に示すように、第１、第２鍵盤ケース１、２の端部６、７同士における各前面に跨って配置されるように構成されている。また、他方の連結板１６は、第１、第２鍵盤ケース１、２が連続する状態に展開して開いたときに、図１に示すように、第１、第２鍵盤ケース１、２の端部６、７同士における各後面に跨って配置されるように構成されている。
【００２４】
さらに、カバー部材８の連動機構１７は、図５および図６に示すように、第１鍵盤ケース１の右端部６における前面と後面（後面は図示せず）とにそれぞれ設けられた固定軸１８と、第２鍵盤ケース２の左端部７における前面と後面（後面は図示せず）とにそれぞれ設けられた移動軸１９と、カバー部材８における一対の連結板１６の各対向面に設けられて各固定軸１８がそれぞれ回転自在に挿入する軸穴２０と、一対の連結板１６の各対向面に設けられて各移動軸１９がそれぞれ移動可能に挿入する細長いガイド溝２１とを備えている。
【００２５】
すなわち、この連動機構１７は、図１および図２に示すように、第１、第２鍵盤ケース１、２が連続する状態に展開して開いたときに、図８に示すように、各固定軸１８と各移動軸１９とが最も接近し、これに伴って各固定軸１８が一対の連結板１６の各軸穴２０に回転自在に挿入した状態で、各移動軸１９が各ガイド溝２１の左端部に位置する。また、この状態で、図４および図５に示すように、第１、第２鍵盤ケース１、２が回動して重なり合って閉じるときには、図２１〜図２３に示すように、各固定軸１８が一対の連結板１６の各軸穴２０に回転自在に挿入した状態で、各移動軸１９が各固定軸１８を中心に斜め上方に向けて移動しながら離れることにより、各移動軸１９が各固定軸１８から離れる方向に向けて各ガイド溝２１内を移動して右端部（図２３では上端部）に位置する。
【００２６】
一方、補助ヒンジ部９は、図１および図２に示すように、分割された第１、第２鍵盤ケース１、２の互いに隣接する端部６、７同士の各前面（図１では手前側面）に跨って取り付けられている。すなわち、この補助ヒンジ部９は、図７〜図１２に示すように、第１鍵盤ケース１の前面にカバー部材８の連結板１６を避けて設けられた板状の第１固定部２２と、第２鍵盤ケース２の前面にカバー部材８の連結板１６を避けて設けられた板状の第２固定部２３と、第１固定部２２の上辺部に蝶番状の回動部２４によって上下方向に回動可能に取り付けられた板状の第１アーム部２５と、第２固定部２３の上辺部に蝶番状の回動部２６によって上下方向に回動可能に取り付けられた板状の第２アーム部２７と、第１、第２鍵盤ケース１、２が連続する状態に展開して開いたときに、第１、第２アーム部２５、２７の各先端部を第１、第２鍵盤ケース１、２の互いに隣接する端部６、７同士の境界部分に対応する箇所で回動可能に連結する回動連結部材２８とを備えている。
【００２７】
この場合、第１アーム部２５は、第１、第２鍵盤ケース１、２を連続する状態に展開して開き、且つ蝶番状の回動部２４を中心に第１アーム部２５を第１固定部２２に対し上方に回動させて起立させた状態のときに、図８および図１３に示すように、第１固定部２２の上辺部から第１、第２鍵盤ケース１、２の互いに隣接する端部６、７同士の境界部分に向けてほぼ水平に延び、この延びた先端部が第１鍵盤ケース１の上方に向けて斜めに延びた形状に形成されている。この場合、第１アーム部２５の先端部は、第１アーム部２５の本体部分よりも大きいほぼ円形状に形成されている。
【００２８】
また、第２アーム部２７は、第１、第２鍵盤ケース１、２を連続する状態に展開して開き、且つ蝶番状の回動部２６を中心に第２アーム部２７を第２固定部２３に対し上方に回動させて起立させた状態のときに、図８および図１４に示すように、第２固定部２３の上辺部から第１、第２鍵盤ケース１、２の互いに隣接する端部６、７同士の境界部分に向けてほぼ水平に延び、この延びた先端部が第２鍵盤ケース１の上方に向けて斜めに延びて第１アーム部２５の先端部と重なる形状に形成されている。
【００２９】
すなわち、第１、第２アーム部２５、２７は、第１、第２固定部２２、２３の各上辺部から互いに接近する方向にほぼ水平に延び、この延びた各先端部が第１、第２鍵盤ケース１、２の端部６、７同士の境界付近で第１、第２鍵盤ケース１、２の上方に向けて斜めに延びて互いに重なる形状に形成されていることにより、第１、第２アーム部２５、２７がそれぞれほぼブーメラン形状に形成されている。これにより、第１、第２アーム部２５、２７は、第１、第２鍵盤ケース１、２を重ね合わせて閉じた状態のときに、図４および図２３に示すように、第１、第２アーム部２５、２７が上下方向に所定間隔離れるように構成されている。
【００３０】
また、回動連結部材２８は、図１５および図１６に示すように、ねじ孔２９ａを有する軸受け部２９が円板部３０の中心部に設けられた固定板３１と、軸受け部２９のねじ孔２９ａに螺入する固定ビス３２とを備え、図１０〜図１３に示すように、固定板３１の軸受け部２９が第１、第２アーム部２５、２７の各先端部にそれぞれ設けられた各軸孔２５ａ、２７ａに挿入し、この状態で軸受け部２９のねじ孔２９ａに固定ビス３２を螺入して、第１、第２アーム部２５、２７を固定板３１と固定ビス３２とで挟むことにより、軸受け部２９を中心に第１、第２アーム部２５、２７が相対的に回転するように構成されている。
【００３１】
この場合、回動連結部材２８は、図８および図９に示すように、第１、第２鍵盤ケース１、２が連続する状態に展開して開き、且つ第１、第２アーム部２５、２７が各回動部２４、２６を中心に第１、第２固定部２２、２３の上方に回動して起立した状態のときに、連結ヒンジ部５の回転中心である回転連結軸１４と、回動連結部材２８の回転中心である軸受け部２９とが、同一軸上に配置され、その両者が互いに対応して軸中心が一致するように構成されている。
【００３２】
また、第１、第２アーム部２５、２７のうち、第１アーム部２５の先端部における円形状の付け根部分には、図１３および図２０に示すように、第１、第２鍵盤ケース１、２が互いに重なり合って閉じたときに、第２アーム部２７の先端側の一側面（図２０では左下の側面）が当接して第１、第２アーム部２５、２７の回動位置を規制する第１ストッパ部３３が設けられている。また、この第１アーム部２５の先端部における円形状の付け根部分には、図１３および図１８に示すように、第１、第２鍵盤ケース１、２が連続する状態に展開して開いたときに、第２アーム部２７の先端側の他側面（図１８では左下の側面）が当接して第１、第２アーム部２５、２７の回動位置を規制する第２ストッパ部３４が設けられている。
【００３３】
次に、第１、第２鍵盤ケース１、２の作用について説明する。
第１、第２鍵盤ケース１、２を連続する状態に展開して使用する場合には、図８に示すように、まず、補助ヒンジ部９の第１、第２固定部２２、２３の各回動部２４、２６を中心に、第１、第２アーム部２５、２７を上方に向けて回動させて起立させた状態で、図１および図２に示すように、連結ヒンジ部５および補助ヒンジ部９を中心に第１、第２鍵盤ケース１、２を回動させて１８０°に開く。
【００３４】
すると、図１および図２に示すように、第１、第２鍵盤ケース１、２の互いに隣接する端部６、７同士の各対向面が互いに対面して突き当たると共に、図１８に示すように、補助ヒンジ部９の第１アーム部２５に設けられた第２ストッパ部３４に、第２アーム部２７の先端側の他側面が当接して第１、第２アーム部２５、２７の回転位置が規制される。これにより、第１、第２鍵盤ケース１、２に設けられた第１、第２鍵盤部３、４の各鍵３ａ、４ａが全て同じ間隔で第１、第２鍵盤ケース１、２に沿って連続して配列される。
【００３５】
このときには、図１〜図３に示すように、カバー部材８のカバー部１５が第１、第２鍵盤ケース１、２の互いに隣接する端部６、７同士の各下面に跨って配置されると共に、カバー部材８の一対の連結板１６が第１、第２鍵盤ケース１、２の互いに隣接する端部６、７の各前面と各後面とにそれぞれ跨って配置される。この状態では、図８に示すように、連結機構１７の各固定軸１８と各移動軸１９とが互いに接近した位置に配置される。
【００３６】
この状態で、図１７（ａ）〜図１７（ｃ）に示すように、補助ヒンジ部９の第１、第２固定部２２、２３の各上辺部に設けられた各回動部２４、２６を中心に、補助ヒンジ部９の第１、第２アーム部２５、２７を第１、第２固定部２２、２３に対し下方に向けて回動させて折り畳む。すると、図２および図７に示すように、補助ヒンジ部９の回動連結部材２８が第１、第２鍵盤部３、４の下側に配置され、第１、第２鍵盤ケース１、２の互いに隣接する端部６、７同士に位置する第１、第２鍵盤部３、４の各鍵３ａ、４ａの先端部が手前側に露呈する。これにより、補助ヒンジ部９が邪魔にならずに、第１、第２鍵盤部３、４の各鍵３ａ、４ａを操作して演奏することができる。
【００３７】
また、第１、第２鍵盤ケース１、２を折り畳んで重ね合わせる場合には、まず、図８に示すように、補助ヒンジ部９の第１、第２固定部２２、２３の各上辺部に設けられた各回動部２４、２６を中心に、第１、第２アーム部２５、２７を第１、第２固定部２２、２３に対し上方に向けて回動させて起立させる。すると、図８および図９に示すように、補助ヒンジ部９の回動連結部材２８が第１、第２鍵盤ケース１、２の手前側において第１、第２鍵盤部３、４の上方に突出する。これにより、連結ヒンジ部５の回転中心である回転連結軸１４と、補助ヒンジ部９の回転中心である回動連結部材２８の軸受け部２９とが同一軸上に配置され、その両者が互いに対応して軸中心が一致する。
【００３８】
この状態では、連結ヒンジ部５と補助ヒンジ部９とを中心に、第１、第２鍵盤ケース１、２を相対的に回動させて折り畳むことができる。このときには、第１鍵盤ケース１に対して第２鍵盤ケース２を上方に持ち上げて回動させると、図１９および図２１に示すように、補助ヒンジ部９の回転中心である回動連結部材２８の軸受け部２９を中心に、補助ヒンジ部９の第２アーム部２７が第１アーム部２５に対し相対的に回動すると共に、連結ヒンジ部５の回転中心である回転連結軸１４と、補助ヒンジ部９の回転中心である回動連結部材２８の軸受け部２９とを中心に、第２鍵盤ケース２が第１鍵盤ケース１に対し相対的に回動する。
【００３９】
また、このときには、図２１に示すように、第２鍵盤ケース２の左端部７が第１鍵盤ケース１の右端部６から斜め上方に向けて離れるので、カバー部材８の連動機構１７における各移動軸１９が、第２鍵盤ケース２の左端部７と共に一対の連結板１６の各ガイド溝２１内を移動しながら、各固定軸１８に対し斜め上方に向けて移動する。これにより、カバー部材８の一対の連結板１６が各固定軸１８を中心に図２１において反時計回りに回動すると共に、カバー部１５が各固定軸１８を中心に同方向に回転移動する。
【００４０】
この状態で、連結ヒンジ部５および補助ヒンジ部９を中心に第１、第２鍵盤ケース１、２が更に閉じる方向に回動すると、図１９に示すように、補助ヒンジ部９の第２アーム部２７が、第２鍵盤ケース２の回動動作に伴って回動連結部材２８の軸受け部２９を中心に更に上方に回動するので、図２２に示すように、第１、第２鍵盤ケース１、２の互いに隣接する端部６、７同士が連結ヒンジ部５および補助ヒンジ部９を中心に更に回動して互いに離れる。
【００４１】
このときにも、図２２に示すように、カバー部材８の連動機構１７における各移動軸１９が、第２鍵盤ケース２の左端部７と共に一対の連結板１６の各ガイド溝２１内を移動しながら、各固定軸１８から斜め上方に向けて更に移動する。これにより、カバー部材８の一対の連結板１６が各固定軸１８を中心に図２２において反時計回りに更に回動すると共に、カバー部１５が各固定軸１８を中心に更に回転移動し、第１、第２鍵盤ケース１、２の互いに隣接する端部６、７同士の各対向面に次第に接近する。
【００４２】
この後、図２３に示すように、連結ヒンジ部５および補助ヒンジ部９を中心に、第１、第２鍵盤ケース１、２が更に回動して重なると、図２０に示すように、補助ヒンジ部９の第２アーム部２７が、第２鍵盤ケース２の回動動作に伴って回動連結部材２８の軸受け部２９を中心に更に回動する。そして、補助ヒンジ部９の回動連結部材２８における第１アーム部２５に設けられた第１ストッパ部３３に、第２アーム部２７の先端側の一側面が当接し、第１、第２アーム部２５、２７の回転位置が規制される。これにより、第２アーム部２７が第１アーム部２５の上方に所定間隔離れて配置されるので、第１、第２アーム部２５、２７間に指や手を挟むことがない。
【００４３】
この状態では、図４、図５、図２３に示すように、第１、第２鍵盤部３、４が互いに対面した状態で、第１、第２鍵盤ケース１、２が上下に重なり合うと共に、第１、第２鍵盤ケース１、２の互いに隣接する端部６、７同士が、連結ヒンジ部５および補助ヒンジ部９を中心に１８０°回動して最も離れた状態で開く。このときには、図２３に示すように、カバー部材８の連動機構１７における各移動軸１９が、第２鍵盤ケース２の左端部７と共に一対の連結板１６の各ガイド溝２１内を移動しながら、各固定軸１８のほぼ垂直上方に移動する。
【００４４】
これにより、図２３に示すように、カバー部材８の一対の連結板１６が各固定軸１８を中心に反時計回りに更に回動してほぼ垂直に起立すると共に、カバー部１５が各固定軸１８を中心に更に回転移動してほぼ垂直に起立する。このときには、図４および図２４に示すように、起立したカバー部１５が、分割された第１、第２鍵盤ケース１、２の互いに隣接する端部６、７同士の各対向面に対面して、各端部６、７の各対向面を覆って塞ぐ。この状態では、第１、第２鍵盤ケース１、２が折り畳まれて互いに重なり合っているので、コンパクトに携帯することができる。
【００４５】
このように、この鍵盤装置によれば、第１、第２鍵盤部３、４の後方に位置する箇所における第１、第２鍵盤ケース１、２の互いに隣接する端部６、７同士の各上面に設けられて第１、第２鍵盤ケース１、２を回動可能に連結する連結ヒンジ部５と、第１、第２鍵盤部３、４の手前側に位置する箇所における第１、第２鍵盤ケース１、２の互いに隣接する端部６、７同士の各前面に跨って設けられて第１、第２鍵盤ケース１、２を回動可能に連結すると共にその回動中心部分である回動連結部材２８が連結ヒンジ部５と対応する位置に起立可能に畳まれる補助ヒンジ部９とを備えているので、連結ヒンジ部５および補助ヒンジ部９によって第１、第２鍵盤ケース１、２を相対的に回動させて、折り畳んだり、連続する状態に展開したりすることができる。
【００４６】
すなわち、第１、第２鍵盤ケース１、２を折り畳んで重ね合わせるとき、または第１、第２鍵盤ケース１、２を連続する状態に展開して開くときには、補助ヒンジ部９の回動連結部材２８を起立させて連結ヒンジ部５に対応させることにより、連結ヒンジ部５と補助ヒンジ部９の回動連結部材２８との両者によって、第１、第２鍵盤ケース１、２を回動させることができる。このため、連結ヒンジ部５と補助ヒンジ部９との両者によって第１、第２鍵盤ケース１、２を確実に保持して安定した状態で回動させることができ、これにより第１、第２鍵盤ケース１、２を円滑に且つ安全に折り畳んだり、展開したりすることができる。
【００４７】
また、連結ヒンジ部５と補助ヒンジ部９とによって、第１、第２鍵盤ケース１、２を回動させて連続する状態に展開したときには、補助ヒンジ部９の回動連結部材２８が第１、第２鍵盤ケース１、２の手前側における上方に突出していても、この上方に突出した補助ヒンジ部９の回動連結部材２８を第１、第２鍵盤部３、４の手前側における下側に折り畳むことにより、補助ヒンジ部９の回動連結部材２８を第１、第２鍵盤部３、４の下側に配置することができる。このため、第１、第２鍵盤部３、４を操作して演奏するときに、補助ヒンジ部９が邪魔にならず、良好に第１、第２鍵盤部３、４を操作して演奏することができるので、使い勝手の良いものを得ることができる。
【００４８】
この場合、補助ヒンジ部９は、第１、第２鍵盤ケース１、２が連続する状態に展開して開いたときに、第１鍵盤ケース１の右端部６側の前面に設けられた第１固定部２２と、第２鍵盤ケース２の左端部７側の前面に設けられた第２固定部２３と、第１固定部２２に回動部２４によって上下方向に回動可能に取り付けられて第１、第２鍵盤ケース１、２の端部６、７同士付近に延出された第１アーム部２５と、第２固定部２３に回動部２６によって上下方向に回動可能に取り付けられて第１、第２鍵盤ケース１、２の端部６、７同士付近に延出された第２アーム部２７と、第１、第２鍵盤ケース１、２の端部６、７付近に延出された第１、第２アーム部２５、２７の各先端部を回動可能に連結する回動連結部材２８とを備えているので、第１、第２鍵盤ケース１、２の端部６、７同士における各前面を回動可能に連結することができると共に、回動連結部材２８を連結ヒンジ部５に対応する位置に起立させたり、第１、第２鍵盤部３、４の操作の邪魔にならない位置に折り畳んだりすることができる。
【００４９】
すなわち、この補助ヒンジ部９は、第１、第２固定部２２、２３の各回動部２４、２６を中心に、第１、第２アーム部２５、２７を第１、第２固定部２２、２３に対し上方に回動させて起立させると、回動連結部材２８が第１、第２鍵盤部３、４の上方に突出して連結ヒンジ部５に対応するので、連結ヒンジ部５と補助ヒンジ部９の回動連結部材２８とを中心に第１、第２鍵盤ケース１、２を回動させることができる。また、第１、第２鍵盤ケース１、２を連続する状態に展開させて演奏するときに、回動連結部材２８が第１、第２鍵盤部３、４の手前側における上方に突出していても、第１、第２固定部２２、２３の各回動部２４、２６を中心に第１、第２アーム部２５、２７を第１、第２固定部２２、２３に対し下方に回動させることにより、回動連結部材２８を第１、第２鍵盤部３、４の操作の邪魔にならない位置に簡単に且つ容易に折り畳むことができる。
【００５０】
また、補助ヒンジ部９の回動連結部材２８は、第１、第２鍵盤ケース１、２を連続する状態に展開して開いたときに、第１、第２アーム部２５、２７を第１、第２固定部２２、２３に対し上方に回動して起立させることにより、連結ヒンジ部５の回転中心である回動連結軸１４と、回動連結部材２８の回転中心である軸受け部２９とが同一軸上に配置されることにより、その両者が互いに対応して軸中心が一致するので、連結ヒンジ部５の回動連結軸１４と回動連結部材２８の軸受け部２９との両方を中心に、第１、第２鍵盤ケース１、２を回動させることができ、これにより第１、第２鍵盤ケース１、２を安定させた状態で、確実に且つ円滑に回動させることができる。
【００５１】
また、この補助ヒンジ部９は、第１、第２鍵盤ケース１、２が互いに重なり合って閉じたときに、第１、第２アーム部２５、２７の回動位置を規制する第１ストッパ部３３を備えているので、第１、第２鍵盤ケース１、２が重なり合って閉じた状態で、第１、第２鍵盤ケース１、２の手前側における上部に衝撃などの外力が加わっても、第１ストッパ部３３によって第１、第２鍵盤ケース１、２の手前側の撓みを防ぐことができ、これにより第１、第２鍵盤部３、４の互いに対面する各鍵３ａ、４ａが当接して傷付け合うのを防ぐことができる。
【００５２】
また、この補助ヒンジ部９は、第１、第２鍵盤ケース１、２が連続する状態に展開して開いたときに、第１、第２アーム部２５、２７の回動位置を規制する第２ストッパ部３４を備えているので、第１、第２鍵盤ケース１、２が連続して展開した状態で演奏するときに、その演奏時における押鍵操作力などの外力が第１、第２鍵盤部３、４に加わっても、第２ストッパ部３４によって第１、第２鍵盤ケース１、２の手前側における端部６、７同士の中間部分が撓んだりせず、一定の平坦状態を保持することができ、これによっても良好に演奏することができる。
【００５３】
この場合、第１、第２アーム部２５、２７は、第１、第２鍵盤ケース１、２が連続する状態に展開して開いたときに、第１、第２固定部２２、２３の上部から互いに接近する方向にほぼ水平に延び、この延びた各先端部が第１、第２鍵盤ケース１、２の上方に向けて斜めに延びて互いに重なる形状に形成されていることにより、第１、第２アーム部２５、２７がそれぞれほぼブーメラン形状に形成されているので、第１、第２鍵盤ケース１、２を互いに重ね合わせて閉じたときに、第１、第２アーム部２５、２７が上下に対応しても、第１、第２アーム部２５、２７が所定間隔離れて配置されるため、第１、第２アーム部２５、２７間に指や手を挟まないようにすることができ、これによっても安全性の高いものを得ることができる。
【００５４】
さらに、この鍵盤装置によれば、第１、第２鍵盤ケース１、２が連続する状態に展開して開いたときに、第１、第２鍵盤ケース１、２の端部６、７同士における各下面に跨って配置され、連結ヒンジ部５と補助ヒンジ部９とにより第１、第２鍵盤ケース１、２が相対的に回動して互いに重なり合って閉じるときに、第１、第２鍵盤ケース１、２における端部６、７同士の各対向面を塞ぐカバー部材８を備えているので、このカバー部材８によって第１、第２鍵盤ケース１、２の各端部６、７から第１、第２鍵盤ケース１、２の内部が見えないように隠すことができると共に、第１、第２鍵盤ケース１、２の各端部６、７からごみなどの異物が第１、第２鍵盤ケース１、２に侵入するのを防ぐことができる。
【００５５】
なお、上記実施形態の鍵盤装置では、鍵の配列方向に対し第１、第２鍵盤ケース１、２を２つに分割した場合について述べたが、これに限らず、鍵の配列方向に対し各鍵盤ケースを３つ以上に分割しても良い。この場合にも、３つ以上に分割された各鍵盤ケースの各端部同士にそれぞれ連結ヒンジ部５、補助ヒンジ部９、およびカバー部材８を設ければ良い。
【図面の簡単な説明】
【００５６】
【図１】この発明を適用した一実施形態の鍵盤装置を開いて使用する状態を示した平面図である。
【図２】図１の鍵盤装置の正面図である。
【図３】図１の鍵盤装置の底面図である。
【図４】図１の鍵盤装置を折り畳んで重ね合わせた状態を示した拡大正面図である。
【図５】図４の鍵盤装置においてカバー部材を分解した状態を示した拡大正面図である。
【図６】図５のカバー部材を示した斜視図である。
【図７】図２の要部を示した拡大正面図である。
【図８】図７の補助ヒンジ部を上方に回動させて起立させた状態を示した拡大正面図である。
【図９】図８のＡ−Ａ矢視における拡大断面図である。
【図１０】図７の状態の補助ヒンジ部を示した拡大正面図である。
【図１１】図１０の補助ヒンジ部を上方から見た拡大平面図である。
【図１２】図１０の補助ヒンジ部を側方から見た拡大側面図である。
【図１３】図１０の第１固定部および第１アーム部を示し、（ａ）はその拡大正面図、（ｂ）はその拡大平面図、（ｃ）はその拡大側面図、（ｄ）は（ａ）の状態で上下反転させた状態を示した拡大図である。
【図１４】図１０の第２固定部および第２アーム部を示し、（ａ）はその拡大正面図、（ｂ）はその拡大平面図、（ｃ）はその拡大側面図、（ｄ）は（ａ）の状態で上下反転させた状態を示した拡大図である。
【図１５】図１０の回動連結部材の固定板を示し、（ａ）はその拡大正面図、（ｂ）はその拡大側面図である。
【図１６】図１０の回動連結部材の固定ビスを示し、（ａ）はその拡大正面図、（ｂ）はその拡大側面図である。
【図１７】図１０の補助ヒンジ部の動作状態を示し、（ａ）は図１０の補助ヒンジ部の拡大正面図、（ｂ）はその第１アーム部を上方に約９０°回動させた状態を示した拡大側面図、（ｃ）はその第１アーム部を上方に約１８０°回動させて起立させた状態を示した拡大側面図である。
【図１８】図１７（ｃ）の状態における補助ヒンジ部を示した拡大正面図である。
【図１９】図１８の補助ヒンジ部を約９０°回動させた状態を示した拡大正面図である。
【図２０】図１８の補助ヒンジ部を約１８０°回動させた状態を示した拡大正面図である。
【図２１】図８の状態で第１、第２鍵盤ケースを約６０°回動させた状態を示した要部の拡大正面図である。
【図２２】図８の状態で第１、第２鍵盤ケースを約１２０°回動させた状態を示した要部の拡大正面図である。
【図２３】図８の状態で第１、第２鍵盤ケースを１８０°回動させて重ね合わせた状態を示した要部の拡大正面図である。
【図２４】図２３のＢ−Ｂ矢視における拡大断面図である。
【符号の説明】
【００５７】
１、２  第１、第２鍵盤ケース
３、４  第１、第２鍵盤部
５  連結ヒンジ部
６  第１鍵盤ケースの端部
７  第２鍵盤ケースの端部
８  カバー部材
９  補助ヒンジ部
１４  回転連結軸
２２、２３  第１、第２固定部
２４、２６  回動部
２５、２７  第１、第２アーム部
２８  回動連結部材
２９  軸受け部
３１  固定板
３２  固定ビス
３３  第１ストッパ部
３４  第２ストッパ部
【図１】
2008116605.tif 000003
【図２】
2008116605.tif 000004
【図３】
2008116605.tif 000005
【図４】
2008116605.tif 000006
【図５】
2008116605.tif 000007
【図６】
2008116605.tif 000008
【図７】
2008116605.tif 000009
【図８】
2008116605.tif 000010
【図９】
2008116605.tif 000011
【図１０】
2008116605.tif 000012
【図１１】
2008116605.tif 000013
【図１２】
2008116605.tif 000014
【図１３】
2008116605.tif 000015
【図１４】
2008116605.tif 000016
【図１５】
2008116605.tif 000017
【図１６】
2008116605.tif 000018
【図１７】
2008116605.tif 000019
【図１８】
2008116605.tif 000020
【図１９】
2008116605.tif 000021
【図２０】
2008116605.tif 000022
【図２１】
2008116605.tif 000023
【図２２】
2008116605.tif 000024
【図２３】
2008116605.tif 000025
【図２４】
2008116605.tif 000026